(57)【要約】  【解決手段】  フェース板、ヘッド本体および複数個の環状可撓部により構成される。フェース板はヘッド本体の正面に設けられる。ヘッド本体にはクラウン部、ソール部、トー部、ヒール部とサイド部が形成される。環状可撓部はヘッド本体の内面の適当な位置に形成されることにより、環状可撓部によりヘッド本体の弾性変形の能力を増やすことができるように構成されている。  【効果】  ヘッド本体はその内面において適当な位置で複数個の環状可撓部を形成することにより、ヘッド本体は比較的大きい弾性変形の自由度を有するように形成されるため、打球の性能、材料の耐疲労性と破裂に対抗する強度を相対的に増やし、さらに使用寿命を延ばすことができる。【選択図】    図１
2006075472.tif 000002
【特許請求の範囲】
【請求項１】
ヘッド本体（２）、フェース板（１）および複数個の環状可撓部（２０１）により構成されるゴルフクラブのウッドヘッド構造であって、ヘッド本体（２）にはクラウン部、ソール部、トー部、ヒール部とサイド部が形成され、フェース板（１）はヘッド本体（２）の正面に設けられ、複数個の環状可撓部（２０１）は例えばヘッド本体（２）の内面の適当な位置に形成され、環状可撓部（２０１）はヘッド本体（２）の弾性変形の能力を増やすのに用いられることを特徴とするゴルフクラブのウッドヘッド構造。
【請求項２】
ヘッド本体（２）のクラウン部には上開口部（２２）が形成され、上開口部（２２）に蓋板（２０）を結合することができ、さらに環状可撓部（２０１）は蓋板（２０）の内面に形成されることを特徴とする請求項１記載のゴルフクラブのウッドヘッド構造。
【請求項３】
環状可撓部（２０１）は蓋板（２０）の中央から外周縁に向かって同心円による拡張の排列に形成されることを特徴とする請求項２記載のゴルフクラブのウッドヘッド構造。
【請求項４】
各環状可撓部（２０１）の形状は蓋板（２０）の外周縁の形状に対応するように形成されることを特徴とする請求項３記載のゴルフクラブのウッドヘッド構造。
【請求項５】
蓋板（２０）の内面の中央位置には他にクッションゾーン（２０２）が形成されることにより、弾性変形によるクッションの作用を提供することを特徴とする請求項２記載のゴルフクラブのウッドヘッド構造。
【請求項６】
ヘッド本体（２）のソール部には底開口部（２３）が形成され、ソール部にソール板（２４）を結合することができ、さらに環状可撓部（２４１）はソール板（２４）の内面に形成されることを特徴とする請求項１記載のゴルフクラブのウッドヘッド構造。
【請求項７】
環状可撓部（２０１）は蓋板（２０）の中央から外周縁に向かって同心円による拡張の排列に形成されることを特徴とする請求項６記載のゴルフクラブのウッドヘッド構造。
【請求項８】
各環状可撓部（２０１）の形状は蓋板（２０）の外周縁の形状に対応するように形成されることを特徴とする請求項７記載のゴルフクラブのウッドヘッド構造。
【請求項９】
蓋板（２０）の内面の中央位置には他にクッションゾーン（２０２）が形成されることにより、弾性変形によるクッションの作用を提供することを特徴とする請求項６記載のゴルフクラブのウッドヘッド構造。
【請求項１０】
ヘッド本体（２）の環状可撓部（２０１’）は密封した環状の凹欠溝に形成されることを特徴とする請求項１記載のゴルフクラブのウッドヘッド構造。
【請求項１１】
ヘッド本体（２）の環状可撓部（２０１’）は密封した環状の突出リブに形成されることを特徴とする請求項１記載のゴルフクラブのウッドヘッド構造。
【請求項１２】
ヘッド本体（２）の環状可撓部（２０１’）は交互に排列するように形成され、そして密封した環状の凹欠溝と突出リブに形成されることを特徴とする請求項１記載のゴルフクラブのウッドヘッド構造。
【請求項１３】
ヘッド本体（２）の内面には他に弾性塗布槽（４）が塗布され、環状可撓部（２０１’）の構造を強化すると共に、打球時余震を吸収することができることを特徴とする請求項１記載のゴルフクラブのウッドヘッド構造。
【発明の詳細な説明】
【技術分野】
【０００１】
本発明は、ゴルフクラブのウッドヘッド構造に関するもので、特にヘッド本体はその内面において適当な位置で複数個の環状可撓部が形成されることにより、弾性変形の能力を増やすウッドヘッド構造に係るものである。
【背景技術】
【０００２】
従来のゴルフクラブのウッドヘッド構造としては、フェース板およびヘッド本体が含まれる。上記フェース板は通常として弾性係数の高い金属材料により形成される。上記ヘッド本体は例えば金属または炭素繊維などの非金属材料により製成され、クラウン部（crown）、ソール部（sole）、トー部（toe）、ヒール部（heel）またはその他のサイド部（side）が含まれる。これにより、使用時において上記フェース板によりゴルフボールを打球することができると共に、上記ヘッド本体により打球の応力を上記フェース板に伝え返すことができ、さらに打球後に生じた余震を適当に吸収することができるようにとしたものがある。
【０００３】
また、従来のゴルフクラブのウッドヘッド構造としては、上記同様にフェース板およびヘッド本体が含まれる。上記フェース板の内面には他に環状による肉厚の変化が形成されることにより、弾性変形の能力を増やすことができるようにとしたものがある（例えば、特許文献１、２を参照）。
【特許文献１】特開２００３−１０２８７９号公報
【特許文献２】米国特許公開第２００３−００６４８２３号公報
【発明の開示】
【発明が解決しようとする課題】
【０００４】
上記のような従来のゴルフクラブのウッドヘッド構造においては、ヘッド本体が相対的に弾性変形の能力を増やさない前提で、ヘッド本体により打球の応力をフェース板まで有効に伝え返すことができず、さらにヘッド本体が過量な打球の応力を受けることにより永久的な変形または亀裂が生じ易い。言い換えれば、フェース板が比較的高い弾性変形の能力を有しても、ヘッド本体の構造そのものの制限の下でフェース板は打球の応力を充分に利用することができないため、最高な打球の性能を達成することができないという問題点があった。このように、上記のような従来のゴルフクラブのウッドヘッド構造をさらに改良しなければならない。
【０００５】
本発明はこのような問題点に鑑みて発明したものであって、その目的とするところは、ヘッド本体はその内面において適当な位置で複数個の環状可撓部を形成することにより、ヘッド本体は比較的大きい弾性変形の自由度を有するように形成されるため、打球の性能、材料の耐疲労性と破裂に対抗する強度を相対的に増やし、さらに使用寿命を延ばすことができるゴルフクラブのウッドヘッド構造を提供しようとするものである。
【０００６】
本発明の第一の目的は、ヘッド本体はその内面において適当な位置で複数個の環状可撓部を形成することにより、比較的大きい弾性変形の自由度を提供することができるため、打球の性能、材料の耐疲労性と破裂に対抗する強度を増やすことができるゴルフクラブのウッドヘッド構造を提供しようとするものである。
【０００７】
本発明の第二の目的は、ヘッド本体はその内面において適当な位置で複数個の環状可撓部を形成し、さらに環状可撓部において弾性塗布層を塗布することにより、構造の強度と振動吸収の効果を増やすことができるゴルフクラブのウッドヘッド構造を提供しようとするものである。
【課題を解決するための手段】
【０００８】
上記目的を達成するために、本発明によるゴルフクラブのウッドヘッド構造は、下記のようになるものである。すなわち、
ヘッド本体、フェース板および複数個の環状可撓部により構成される。ヘッド本体にはクラウン部、ソール部、トー部、ヒール部とサイド部が形成される。フェース板はヘッド本体の正面に設けられる。複数個の環状可撓部は例えばヘッド本体の内面の適当な位置に形成され、環状可撓部はヘッド本体の弾性変形の能力を増やすのに用いられる。
【０００９】
本発明によるゴルフクラブのウッドヘッド構造は、ヘッド本体のクラウン部には上開口部が形成され、上開口部に蓋板を結合することができ、さらに環状可撓部は蓋板の内面に形成されることもできる。また、環状可撓部は蓋板の中央から外周縁に向かって同心円による拡張の排列に形成されることもできる。また、各環状可撓部の形状は蓋板の外周縁の形状に対応するように形成されることもできる。また、蓋板の内面の中央位置には他にクッションゾーンが形成されることにより、弾性変形によるクッションの作用を提供することもできる。また、ヘッド本体のソール部には底開口部が形成され、ソール部にソール板を結合することができ、さらに環状可撓部はソール板の内面に形成されることもできる。また、環状可撓部は蓋板の中央から外周縁に向かって同心円による拡張の排列に形成されることもできる。また、各環状可撓部の形状は蓋板の外周縁の形状に対応するように形成されることもできる。また、蓋板の内面の中央位置には他にクッションゾーンが形成されることにより、弾性変形によるクッションの作用を提供することもできる。また、ヘッド本体の環状可撓部は密封した環状の凹欠溝に形成されることもできる。また、ヘッド本体の環状可撓部は密封した環状の突出リブに形成されることもできる。また、ヘッド本体の環状可撓部は交互に排列するように形成され、そして密封した環状の凹欠溝と突出リブに形成されることもできる。また、ヘッド本体の内面には他に弾性塗布槽が塗布され、環状可撓部の構造を強化すると共に、打球時余震を吸収することもできる。
【発明の効果】
【００１０】
本発明のゴルフクラブのウッドヘッド構造によれば、ヘッド本体はその内面において適当な位置で複数個の環状可撓部を形成することにより、比較的大きい弾性変形の自由度を提供することができるため、打球の性能、材料の耐疲労性と破裂に対抗する強度を増やすことができるという利点がある。
【００１１】
本発明のゴルフクラブのウッドヘッド構造によれば、ヘッド本体はその内面において適当な位置で複数個の環状可撓部を形成し、さらに環状可撓部において弾性塗布層を塗布することにより、構造の強度と振動吸収の効果を増やすことができるという利点がある。
【発明を実施するための最良の形態】
【００１２】
本発明の実施の形態について、以下、図面を参照して説明する。
【実施例１】
【００１３】
図１、２を参照すると、本発明の実施例１のゴルフクラブのウッドヘッド構造にはフェース板１、ヘッド本体２、蓋板２０およびホーゼル３が含まれる。フェース板１は通常として弾性係数（C.O.R.）の高い金属または合金材料により製成され、フェース板１はゴルフクラブのウッドヘッドの正面に設けられると共に、ゴルフボール９を打球するのに用いられることができる。ヘッド本体２と蓋板２０は例えば金属材料（等方性材料isotropic）または非金属の高分子とその繊維複合（polymer or fiber reinforced composite）材料（非等方性材料anisotropic）により製成される。ヘッド本体２にはソール部、トー部、ヒール部とサイド部が形成されると同時に、ヘッド本体２には他に正面と上部においてそれぞれ前開口部２１と上開口部２２が形成される。前開口部２１において適当な方式によりフェース板１と結合することができ、さらに上開口部２２において適当な方式により蓋板２０と結合することができる。上記結合の方式は例えば熔接、嵌入圧合、粘着、硬ろう付け、一体鋳造、螺設などの方式から選択することができる。
【００１４】
再び図１、２を参照すると、本発明の実施例１の蓋板２０はゴルフクラブのウッドヘッドの上部を構成し、蓋板２０には大体均一した肉厚を有するように形成され、さらにその内面において複数個の環状可撓部２０１とクッションゾーン２０２が形成される。環状可撓部２０１は蓋板２０の中央から外周縁に向かって同心円による拡張（spread）の排列に形成される。環状可撓部２０１は密封環状の凹欠溝に形成され、その形状は好ましくは蓋板２０の外周縁の形状に対応するように形成され、すなわち上開口部２２の形状に対応するように形成される。また、クッションゾーン２０２は蓋板２０の内面の中央位置に形成されることにより、弾性変形によるクッションの作用を提供することができる。また、ホーゼル３は他にフェース板１の片側のヘッド本体２に適当に結合されるため、ホーゼル３はゴルフクラブヘッドのシャフトが結合するのに用いられる。上述した結合の方式においては同様に熔接、嵌入圧合、粘着、硬ろう付け、一体鋳造、螺設などの方式から選択することができる。
【００１５】
図３の実線の部分を参照すると、組立を完成した後、フェース板１、ヘッド本体２、蓋板２０とホーゼル３は共同でゴルフクラブのウッドヘッドを組成する。再び図３の点線の部分を参照すると、ゴルフクラブのウッドヘッドにより打球を行う時、フェース板１はゴルフボール９を打球し、そして打球の応力によりフェース板１は後方へ向かって弾性変形するように形成される。この時、打球の応力は後方へヘッド本体２と蓋板２０まで伝達され、特に構造上においてはクラウン部に位置する蓋板２０は通常として最大な打球の応力の作用を受けるように形成される。
【００１６】
また、蓋板２０の内面には環状可撓部２０１とクッションゾーン２０２が設けられ、蓋板２０の断面係数（section modulus）を適当に変えることにより、蓋板２０には比較的高い弾性変形の係数が形成されるため、比較的大きい弾性変形の自由度を提供することができ、さらに材料の耐疲労性を相対的に増やすことができる。また、環状可撓部２０１の密封環状の設計により打球の応力が規則的に分散（disperse）するのに役立つことができるため、蓋板２０の均一的な変形能力（uniform deformed ability）を増やすことができる。簡単に言えば、環状可撓部２０１とクッションゾーン２０２の補助により蓋板２０は大幅な弾性変形を行うことができ、そして打球の応力をフェース板１に伝え返すことにより、フェース板１は打球の応力を充分に利用することができると共に、打球の性能を高めることができる。また、蓋板２０の弾性変形の能力が高まることにより、蓋板２０に永久的な変形または破裂が生じる確率も相対的に減らされる。
【００１７】
再び図３を参照すると、ヘッド本体２においてもソール部に底開口部２３が設けられ、底開口部２３にソール板２４を結合することができる。ソール板２４は例えばヘッド本体２と同じまたは異なる金属または非金属材料により製成される。ソール板２４の内面にも同様に複数個の環状可撓部２４１とクッションゾーン２４２が設けられるため、ソール部の弾性変形の能力を増やすことができる。同様に、環状可撓部２０１、２４１の構造をヘッド本体２のトー部、ヒール部またはサイド部などの位置の内面に形成することにより、各部位の弾性変形の能力を増やすことができる。
【実施例２】
【００１８】
図４を参照すると、本発明の実施例２のゴルフクラブのウッドヘッド構造が掲示される。実施例１と比較して、実施例２においてはヘッド本体２の内面、特に蓋板２０’の内面において複数個の環状可撓部２０１’とクッションゾーン２０２’が形成されるが、環状可撓部２０１’は密封した環状の突出リブに形成される。環状可撓部２０１’も外から内へ同心円による拡張（spread）により蓋板２０’の内面に排列され、そして蓋板２０の外周縁の形状に対応するように形成される。これにより、環状可撓部２０１’により同様に蓋板２０’の弾性変形の自由度を高めることができる。また、本発明の蓋板２０、２０’においても凹欠溝状の環状可撓部２０１と突出リブ状の環状可撓部２０１’を交互に排列することにより、異なった弾性変形能力の選択を提供することができる。
【実施例３】
【００１９】
図５を参照すると、本発明の実施例３のゴルフクラブのウッドヘッド構造が掲示される。実施例１と比較して、実施例３においては蓋板２０の内面には他に弾性塗布層４が塗布される。弾性塗布層４はＰＵなどの弾性材料により製成され、弾性塗布層４により環状可撓部２０１とクッションゾーン２０２を塗布することができる。弾性塗布層４の厚さが極めて薄いため、蓋板２０の弾性変形の能力に影響を与えることがない。弾性塗布層４により環状可撓部２０１の構造の強度をさらに強化することができると同時に、打球後において打球時余震を適当に吸収することができるため、クラブのグリップ（図示せず）の握り心地を高めることができる。
【実施例４】
【００２０】
図６を参照すると、本発明の実施例４のゴルフクラブのウッドヘッド構造が掲示される。実施例２と比較して、実施例４においては蓋板２０’の内面には他に弾性塗布層４が塗布される。弾性塗布層４により環状可撓部２０１’とクッションゾーン２０２’を塗布することができると共に、環状可撓部２０１’の構造の強度をさらに強化することができると同時に、打球時余震を適当に吸収することができるため、クラブのグリップの握り心地を高めることができる。
【産業上の利用可能性】
【００２１】
上述の如く、従来のゴルフクラブのウッドヘッド構造によれば、ヘッド本体を改良することができないため、ヘッド本体とフェース板との弾性変形の能力の差異により破裂し易くなるという問題点があったが、図１に示す本発明のゴルフクラブのウッドヘッド構造によれば、ヘッド本体２の内面において特に蓋板２０の内面において環状可撓部２０１を設けることにより、打球の性能を相対的に増やし、材料の耐疲労性と破裂に対抗する強度を増やし、さらに使用寿命を延ばすことができる。
【００２２】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２３】
【図１】本発明の実施例１のゴルフクラブのウッドヘッド構造による組み立てられた状態を示す平面図である。
【図２】図１のＡ−Ａ線に沿った断面図である。
【図３】本発明の実施例１のゴルフクラブのウッドヘッド構造による打球時を示す図である。
【図４】本発明の実施例２のゴルフクラブのウッドヘッド構造による蓋板の断面図である。
【図５】本発明の実施例３のゴルフクラブのウッドヘッド構造による蓋板の断面図である。
【図６】本発明の実施例４のゴルフクラブのウッドヘッド構造による蓋板の断面図である。
【符号の説明】
【００２４】
１    フェース板                        ２    ヘッド本体
２０    蓋板                          ２０１    環状可撓部
２０２    クッションゾーン                ２０’    蓋板
２０１’  環状可撓部                    ２０２’  クッションゾーン
２１    前開口部                        ２２    上開口部
２３    底開口部                        ２４    ソール板
２４１    環状可撓部                    ２４２    クッションゾーン
３    ホーゼル                          ４    弾性塗布層
９    ゴルフボール
【図１】
2006075472.tif 000003
【図２】
2006075472.tif 000004
【図３】
2006075472.tif 000005
【図４】
2006075472.tif 000006
【図５】
2006075472.tif 000007
【図６】
2006075472.tif 000008
【手続補正書】
【提出日】平成16年9月15日(2004.9.15)
【手続補正１】
【補正対象書類名】特許請求の範囲
【補正対象項目名】請求項７
【補正方法】変更
【補正の内容】
【請求項７】
環状可撓部（２４１）はソール板（２４）の中央から外周縁に向かって同心円による拡張の排列に形成されることを特徴とする請求項６記載のゴルフクラブのウッドヘッド構造。
【手続補正２】
【補正対象書類名】特許請求の範囲
【補正対象項目名】請求項８
【補正方法】変更
【補正の内容】
【請求項８】
各環状可撓部（２４１）の形状はソール板（２４）の外周縁の形状に対応するように形成されることを特徴とする請求項７記載のゴルフクラブのウッドヘッド構造。
【手続補正３】
【補正対象書類名】特許請求の範囲
【補正対象項目名】請求項９
【補正方法】変更
【補正の内容】
【請求項９】
ソール板（２４）の内面の中央位置には他にクッションゾーン（２４２）が形成されることにより、弾性変形によるクッションの作用を提供することを特徴とする請求項６記載のゴルフクラブのウッドヘッド構造。